(57)【特許請求の範囲】
【請求項１】
複数の内線端末と該複数の内線端末を制御・管理する主装置とを回線を介して接続して成るボタン電話システムにおいて、前記内線端末はそれぞれ、固定的に付与された互いに異なる１つの内線端末番号を記憶する内線端末番号設定部と、該内線端末番号設定部に記憶された１つの内線端末番号を前記主装置に伝送する制御部とを備え、前記主装置は、前記内線端末から伝送された前記１つの内線端末番号を使用して前記内線端末に対し１パスを割り当てる制御部を備える、内線端末番号の自動付与方式であって、
前記ボタン電話システムに複数Ｎ個のパスを同時に使用するサービスに対応する内線端末が接続されると、当該内線端末の電源立ち上がり時に、当該内線端末の制御部が前記内線端末番号設定部から読み取った１つの内線端末番号を前記主装置の制御部に伝送し、前記主装置の制御部は、前記１つの内線端末番号に加えて（Ｎ−１）個の内線端末番号を前記内線端末に付与することにより前記内線端末に対しＮ個のパスを割り当てるようにしたことを特徴とする内線端末番号の自動付与方式。
【請求項２】
前記複数Ｎ個は２個であることを特徴とする請求項１記載の内線端末番号の自動付与方式。
【請求項３】
前記内線端末に付与される前記（Ｎ−１）個の内線端末番号は、前記内線端末番号設定部に記憶された前記１つの内線端末番号に数値１を加えた内線端末番号であることを特徴とする請求項２記載の内線端末番号の自動付与方式。
【請求項４】
前記内線端末に付与される前記（Ｎ−１）個の内線端末番号は、前記主装置内に予め確保された空き内線端末番号領域に用意された空き内線端末番号の１つであることを特徴とする請求項２記載の内線端末番号の自動付与方式。
【請求項５】
前記内線端末に付与される前記（Ｎ−１）個の内線端末番号は、各内線端末の前記１つの内線端末番号に対して前記主装置内に予め確保された２次内線端末番号であることを特徴とする請求項２記載の内線端末番号の自動付与方式。
【請求項６】
前記内線端末の接続台数は、当該ボタン電話システムの最大接続台数の半分以下に設定されていることを特徴とする請求項５記載の内線端末番号の自動付与方式。
【発明の詳細な説明】
【０００１】
【発明の属する技術分野】
本発明は、ＴＥＮ番号（内線端末番号）の自動付与方式、特に、ボタン電話機システムにおいて、内線端末にＴＥＮ番号を付与して制御・管理するシステムに好適に適用できる、改良されたＴＥＮ番号の付与方式に関するものである。
【０００２】
【従来の技術】
ボタン電話機システムにおいて、内線端末は、１ＴＥＮで１パスを使用することで通話等を制御している。
ここに、２パス以上の複数パスを、１内線端末で使用することができると、たとえば２パスを同時に使用するサービスなど、より多様なサービスが可能になるところ、そのように複数パスを１内線端末で使用することが要求される場合において、これを安価に実現できるのがより望ましい。したがって、２パス以上の複数パスを１内線端末で使用することが要求される場合、安価に実現できる方法が必要とされる。
【０００３】
一方、従来のボタン電話機システムでは、１内線端末は、１固定ＴＥＮ設定用のハード部品が搭載されているのが基本であるため、複数のＴＥＮを付与する場合には、１内線端末内に複数ＴＥＮ番号数のハード部品が必要となる。
【０００４】
【発明が解決しようとする課題】
したがって、１内線端末が２ＴＥＮ以上の複数ＴＥＮ番号を使用して動作するボタン電話システムは、多様なサービスを実現せしめるものであるが、既存のシステムにおいて、これを実現しようとすると、あらかじめ内線端末に固定ＴＥＮを示すハードを複数もっている必要がある。
その結果、従来の技術では、複数のＴＥＮを付与する場合には１内線端末内に複数のＴＥＮ番号数のハード部品が必要となり、ハード部品のコスト増、操作・工事工数増といった欠点が生じる。
【０００５】
よって、望ましいのは、内線端末がパスを複数確保してサービスを提供する場合、そうした不利、不便をももたらさずに、これを実現できることである。
【０００６】
本発明は、このような点から改良を加え、上述のような欠点を解決し得て、複数パスを１内線端末で使用することが要求される場合にも、これに応え得て安価に実現し得る、改良されたＴＥＮ番号付与方式ないしはシステムを提供しようというものである。
【０００７】
【課題を解決するための手段】
本発明の方式は、
複数の内線端末と該複数の内線端末を制御・管理する主装置とを回線を介して接続して成るボタン電話システムにおいて、前記内線端末はそれぞれ、固定的に付与された互いに異なる１つの内線端末番号を記憶する内線端末番号設定部と、該内線端末番号設定部に記憶された１つの内線端末番号を前記主装置に伝送する制御部とを備え、前記主装置は、前記内線端末から伝送された前記１つの内線端末番号を使用して前記内線端末に対し１パスを割り当てる制御部を備える、内線端末番号の自動付与方式であって、前記ボタン電話システムに複数Ｎ個のパスを同時に使用するサービスに対応する内線端末が接続されると、当該内線端末の電源立ち上がり時に、当該内線端末の制御部が前記内線端末番号設定部から読み取った１つの内線端末番号を前記主装置の制御部に伝送し、前記主装置の制御部は、前記１つの内線端末番号に加えて（Ｎ−１）個の内線端末番号を前記内線端末に付与することにより前記内線端末に対しＮ個のパスを割り当てるようにしたことを特徴とする内線端末番号の自動付与方式である。
【０００８】
また、前記複数Ｎ個は２個であることを特徴とするものである。
【０００９】
また、前記内線端末に付与される前記（Ｎ−１）個の内線端末番号は、前記内線端末番号設定部に記憶された前記１つの内線端末番号に数値１を加えた内線端末番号であることを特徴とするものである。
【００１０】
また、前記内線端末に付与される前記（Ｎ−１）個の内線端末番号は、前記主装置内に予め確保された空き内線端末番号領域に用意された空き内線端末番号の１つであることを特徴とするものである。
また、前記内線端末に付与される前記（Ｎ−１）個の内線端末番号は、各内線端末の前記１つの内線端末番号に対して前記主装置内に予め確保された２次内線端末番号であることを特徴とするものである。
【００１１】
また、請求項５において、前記内線端末の接続台数は、当該ボタン電話システムの最大接続台数の半分以下に設定されていることを特徴とするものである。
【００１２】
【発明の効果】
本発明においては、２パス以上の複数パスを１内線端末で使用することが要求される場合、すなわち複数Ｎ個のパスを同時に使用するサービスに対応する内線端末である場合には、ボタン電話システムの主装置の制御部は、固定的に付与された１つの内線端末番号に加えて（Ｎ−１）個の内線端末番号を前記内線端末に付与することによりそれを安価に実現でき、コスト低減、操作・工事性の簡略化を図ることができる。
したがって、本発明によれば、内線端末がボタン電話システムの主装置のパスを複数確保してサービスを提供する場合、内線端末ごとに複数パス分の内線端末番号設定回路を所有する必要がなくなり、内線端末のコストが低減できる。さらに、回路は工事者による設定であるので、その設定工数の削減が図られ、操作性も向上する。
【００１３】
本発明の好適例によると、前記複数Ｎ個は２個であるとき、前記内線端末に付与される前記（Ｎ−１）個の内線端末番号は、前記内線端末番号設定部に記憶された前記１つの内線端末番号に数値１を加えた内線端末番号である態様で、上記作用効果を奏して複数パスを確保することができる。また、これとは異なる手段ながら、前記複数Ｎ個は２個であるとき、前記内線端末に付与される前記（Ｎ−１）個の内線端末番号は、前記主装置内に予め確保された空き内線端末番号領域に用意された空き内線端末番号の１つである態様、あるいはまた、前記複数Ｎ個は２個であるとき、前記内線端末に付与される前記（Ｎ−１）個の内線端末番号は、各内線端末の前記１つの内線端末番号に対して前記主装置内に予め確保された２次内線端末番号である態様によって、上記と同様の作用効果を奏し得て、複数パスを確保することができる。この場合において、特に、後者の２次内線端末番号を用いる態様では、その接続されるすべての内線端末が複数Ｎ個のパスを同時に使用するサービスに対応可能である。
【００１４】
【発明の実施の形態】
以下、本発明の実施の形態を図面に基づき説明する。
図１〜図７は、本発明の説明に供する図であって、このうち、図１は、本発明の内線端末番号（以下、ＴＥＮ番号ともいう）の自動付与方式の原理ブロック図である。
図中、１はボタン電話主装置、２は主装置１の制御部、３は通話（データ）パスブロック、４は主装置１と内線端末とのデータ線、５はパス通信線、６は内線端末、７は内線端末６の制御部、８は内線端末６のパス終端回路部、９は内線端末６のＴＥＮ番号設定回路である。本発明は、以上の構成からなるものとすることができる。
【００１５】
ボタン電話システムは、図示のごとく、ボタン電話主装置（ボタン電話機主装置）１と複数の内線端末６を有し、ボタン電話主装置１は、主装置制御部２とパスブロック３とを有し、パスブロック３により外線等と接続されるとともに、内線端末６と、データ線４およびパス通信線（パス接続通信線）５により接続され、一方、各内線端末６は、内線端末制御部７とパス終端回路部８とＴＥＮ番号設定回路９とを有する構成とすることができる。
【００１６】
ボタン電話機装置で、このような複数台の内線端末６（内線電話機および各種アダプタ等）を制御・管理する場合、１内線端末ごとに、固定的に１ＴＥＮ番号（内線端末番号）を使用して、電源立ち上がり（ＰＯＷ−ＯＮ；パワーオン）時等にＴＥＮ番号割り付けを行い運用しているシステムにおいて、１内線端末が通話等で１パスを保有する場合、そのパスと使用ＴＥＮ番号で管理することができる。しかし、１内線端末が２パス以上の複数パスを保有するサービスを実現するためには、複数のＴＥＮ番号が必要となる。
【００１７】
図１にあっては、本発明は、内線端末６がパスブロック３を確保するためには、内線端末６のＴＥＮ番号設定回路９のＴＥＮ番号がデータ線４により主装置制御部２に伝えられ、主装置管理により、空きパスブロック３の中から１個のパスが指定され、その１個のパスがパス通信線５に接続されることにより、内線端末６は１個のパスを確保できる。
この原理において、さらに内線端末６が複数のパスを確保するサービスを実現する場合は、内線端末Ａに示すようにＴＥＮ番号設定回路９のＴＥＮ番号が複数存在することになるが（たとえば、図１中破線図示の“２”参照）、しかし、本発明は、ＴＥＮ番号を複数保有することなく（したがって、端末６それぞれがＴＥＮ番号設定回路９を複数所有することもなく）、主装置制御部２と内線端末制御部７によるソフト的制御により該サービスを実現することができる。
【００１８】
よって、本発明に従えば、１内線端末が２ＴＥＮ番号以上の複数ＴＥＮ番号を使用して動作するボタン電話システムにおいて、本発明非採用システムではあらかじめ内線端末に固定ＴＥＮ番号を示すハードを複数もっている必要があるが、それを解決するために１個の固定ＴＥＮ番号により主装置１が内線端末６に複数のＴＥＮ番号を自動的に付与することによりコスト低減、操作・工事性の簡略化を図ることができる。
【００１９】
好適実施例では、１内線端末が２パス以上の複数パスを保有するサービスを実現するために複数のＴＥＮ番号が必要となる場合、その場合の複数ＴＥＮ番号を付与する方式として、主装置１が複数パス使用サービス端末６のみに対して、電源立ち上がり時に、固定１ＴＥＮ番号に対してＴＥＮ番号をソフト的にプラスして自動付与する方式とする。
【００２０】
また、好適実施例では、前記の場合、主装置１側にあらかじめ空きＴＥＮ番号領域を持って、サービス機能時に内線端末間で自動的に空きＴＥＮ番号を内線端末に付与する方式とすることができる。
また、前記の場合、内線端末の固定ＴＥＮ番号の下に２次ＴＥＮ番号が自動的に付与されていることを前提にサービス機能時に合わせて２次ＴＥＮ番号管理とする方式とすることができる。
【００２１】
以下、図２以降も参照して、さらに説明する。
図２は、本発明の一実施例に係る方式を示すもので、ここでは、たとえば、２パスを確保する方法として、ＴＥＮ番号設定回路９のＴＥＮ番号に加えて、そのＴＥＮ番号にソフト的に数値１を加えたＴＥＮ番号を自動的に付与することにより、２パスを確保する実施例である。図３は、同例での、サービス開始シーケンの一例である。
【００２２】
本実施例に従って、１内線端末が２パスを保有するサービスを実現するために２個のＴＥＮ番号が必要となる場合におけるその複数ＴＥＮ番号の付与では、２パス使用サービス端末６のみ、電源立ち上がり時（ＰＯＷ−ＯＮ時）に、固定１ＴＥＮ番号に対してソフト的にプラスして自動付与する。
【００２３】
上記のソフト的に付与する方法は、各内線端末６（Ａ，Ｂ，Ｃ，・・・）がＰＯＷ−ＯＮの立ち上がり時に、内線端末制御部７で読み取ったＴＥＮ番号設定回路９のＴＥＮ番号設定回路番号をボタン電話主装置１の制御部２に伝えるシーケン内に行う。
図示例では、内線端末Ａはサービス対応端末、内線端末Ｂ，Ｃはサービス未対応端末であるとすると、たとえば内線端末Ａは回路９で“１”と読み取ったら、“１”および“２”をデータ線４経由で、主装置制御部２に伝える。また、他内線端末（サービス未対応端末）Ｂ，Ｃは、内線端末Ａがサービス対応端末であることをあらかじめ確認し、内線端末Ａの番号＋１以外の番号に、ＴＥＮ番号設定回路９を設定する。
このシーケンにより、ボタン電話主装置１は内線端末のＴＥＮ番号を管理することができる。
【００２４】
内線端末Ａの制御部７は、ＴＥＮ番号“１”、および“１”＋１＝“２”（＋１はソフト設定）を伝えることができ、一方、ボタン電話主装置１の制御部２は、システムの内端末として、“１”，“２”，“３”，“４”のＴＥＮ（内線端末番号）が存在していると判断することができる。
【００２５】
本実施例方式において、サービスのシーケンは、内線端末Ａ（サービス対応端末）の制御部７よりデータ線４経由でボタン電話主装置１の制御部２にサービス内容等のコマンド・データを伝える（図３）。
このようにサービス内容コマンドを主装置１に伝えると、これに基づき、サービスコマンドにより空きパスを指定して通信線に接続する（パス接続指示）。すなわち、主装置制御部２は、パスブロック３から空きのパスを割り当て、これにより、内線端末Ａのパス終端回路８と通信線５が結合し、サービス（２パスを同時に使用するサービス）を実現することができる。
【００２６】
このようにして、複数パス（ここでは、２パス）を１内線端末６が使用することが要求される場合、ＴＥＮ番号設定回路９のＴＥＮ番号とそのＴＥＮ番号にソフト的にたとえば＋１を加えたＴＥＮ番号を自動的に付与することとによって、２パスを確保することができる。
【００２７】
したがって、本実施例によれば、ボタン電話機システムにおいて、内線端末６（Ａ，Ｂ，Ｃ，・・・）にＴＥＮ番号を付与して制御・管理するシステムに適用して好適なＴＥＮ番号付与方式ないしシステムが提供でき、２パス以上の複数パスを１内線端末で使用することが要求される場合でも、それを安価に実現できる。従来のボタン電話機システムにあって、複数のＴＥＮを付与する場合には、１内線端末内に複数のＴＥＮ番号数のハード部品（ＴＥＮ番号設定回路９）が必要となり、このため、ハード部品のコスト増、操作・工事工数増といった欠点が生じるのに対し、本実施例では、内線端末６（Ａ，Ｂ，Ｃ，・・・）がボタン電話主装置１のパスを複数確保してサービスを提供する場合、内線端末６（Ａ，Ｂ，Ｃ，・・・）ごとに複数パス分のＴＥＮ番号設定回路を所有する必要がなくなり、内線端末６のコストが低減できる。さらに、回路は工事者による設定であるので、その設定工数の削減が図られ、操作性も向上する。
【００２８】
図４，図５は、本発明の他の実施例（第２実施例）である。
図４は、本発明の他の実施例に係る方式を示すもので、たとえば、２パスを確保する方法として、内線端末のＴＥＮ番号以外の空き領域をあらかじめ主装置内に確保しておき、サービス開始（図５）時に合わせてＴＥＮ番号を自動的に付与することにより、２パスを確保する実施例である。図５は、同例での、サービス開始シーケンの一例である。
以下、本実施例の要部を説明する。
【００２９】
上記の付与方式は、各内線端末６（Ａ，Ｂ，Ｃ，・・・）がＰＯＷ−ＯＮの立ち上がり時に、内線端末制御部７で読み取ったＴＥＮ番号設定回路９のＴＥＮ番号設定回路番号をボタン電話主装置１の制御部２に伝えるが、主装置１側で空きＴＥＮ領域を持ち、サービス開始時等に合わせて自動付与を行う方式である。
この場合、接続内線端末として、システムの最大接続台数から、同時サービス台数分のＴＥＮ番号を確保するため、内線端末の台数に制限が必要となる。すなわち、内線端末の接続台数（ｔ台）は、システムの最大数（接続可能台数；Ｍ台）から同時に２パスを確保してサービス（２パスを同時に使用するサービス）をする台数（Ｓ台）以下となる。つまり、空きＴＥＮ領域をサービス台数分（Ｓ台分）用意しておくことになる。
【００３０】
前記実施例（第１実施例）とは異なり、本実施例では、このようにして、あらかじめ空きＴＥＮ番号を用意してボタン電話主装置１は内線端末６（Ａ，Ｂ，Ｃ，・・・）のＴＥＮ番号を管理することになる。
本実施例においては、上記システムの各内線端末Ａ，Ｂ，Ｃごと、たとえば内線端末Ａなら自己のＴＥＮ番号設定回路９のＴＥＮ番号“１”を主装置１に伝え、ボタン電話主装置１の制御部２は、システムの内端末として、“１”，“２”，“３”のＴＥＮが存在していると判断することができる。
【００３１】
このシステムにおいてのサービスのシーケンは、サービスの対象となる内線端末６が内線端末Ａの場合、内線端末Ａの制御部７よりデータ線４経由でボタン電話主装置１の制御部２にサービス内容等のコマンド・データを伝える（図５）。このとき、ボタン電話主装置１の制御部２は、ＴＥＮ番号設定回路９のＴＥＮ番号設定回路番号と、上記のごとくあらかじめ用意しておいた空きのＴＥＮ番号を使用して、パスブロック３から空きのパスを割り当て、これにより、内線端末Ａのパス終端回路８と通信線５が結合し、サービスを実現することができる。
【００３２】
このようにして、複数パス（本例でも、２パス）を１内線端末６が使用することが要求される場合、内線端末６のＴＥＮ番号以外の空き領域をあらかじめ主装置１内に確保しておき、サービス開始時に合わせてＴＥＮ番号を自動的に付与することによって、２パスを確保することができる。
したがって、本実施例方式ないしはシステムは、第１実施例とは異なる手段ながらも、第１実施例で述べたのと同様の作用効果を奏し得る。
【００３３】
次に、本発明のさらに他の実施例（第３実施例）を、図６，図７により説明する。
図６は、本発明のさらに他の一実施例に係る方式を示すもので、たとえば、２パスを確保する方法として、内線端末のＴＥＮ番号に対して２次ＴＥＮ番号（２桁）をあらかじめ主装置１に確保しておき、サービス開始（図７）時に合わせてＴＥＮ番号を自動的に付与することにより、２パスを確保する実施例である。図７は、同例での、サービス開始シーケンの一例である。本実施例は、第２実施例の変形例と捉えることもできる。
以下、本実施例の要部を説明する。
【００３４】
上記の付与方式は、各内線端末６（Ａ，Ｂ，Ｃ，・・・）がＰＯＷ−ＯＮの立ち上がり時に、内線端末制御部７で読み取ったＴＥＮ番号設定回路９のＴＥＮ番号をボタン電話主装置１の制御部２に伝えるが、サービス開始時等に合わせて２次ＴＥＮ番号を自動的に付与する方式である。
この場合、接続内線端末として、システムの最大接続台数の半分の台数に制限が必要となる。すなわち、本実施例方式では、内線端末の接続台数（ｔ台）は、システムの最大数の半分（ｔ＝Ｍ／２台）となる。ただし、後述もするように、本実施例にあっては、すべての内線端末（ｔ＝Ｍ／２台）がサービスに対応できる。
【００３５】
本実施例では、このようにして、あらかじめ内線端末番号と同数（ｔ）の２次ＴＥＮ番号を用意してボタン電話主装置１は内線端末６（Ａ，Ｂ，Ｃ，・・・）のＴＥＮ番号を管理することになる。
本実施例においても、前記第２実施例と同様、上記システムの各内線端末Ａ，Ｂ，Ｃごと、たとえば内線端末Ａなら自己のＴＥＮ番号設定回路９のＴＥＮ番号“１”を主装置１に伝え、ボタン電話主装置１の制御部２は、システムの内端末として、“１”，“２”，“３”のＴＥＮが存在していると判断する。
【００３６】
このシステムにおいてのサービスのシーケンは、サービスの対象となる内線端末６が内線端末Ａの場合は、内線端末Ａの制御部７よりデータ線４経由でボタン電話主装置１の制御部２にサービス内容等のコマンド・データを伝える（図７）。このとき、ボタン電話主装置１の制御部２は、ＴＥＮ番号設定回路９のＴＥＮ番号設定回路番号と、そのＴＥＮ番号の２次ＴＥＮ番号を使用してパスブロック３を割り当てるが、パスブロック３は常に内線端末６のＴＥＮ番号は２パスを確保していることになっており（図７に示すように、パスは固定的に内線端末Ａ：Ｂ：Ｃに、「１」，「２」：「３」，「４」：「５」，「６」のごとく、割り着く）、空きパスを探すのではなく、固定的に２個のパス（たとえば、上記例で挙げた内線端末Ａの場合には「１」，「２」の２個のパス）を割り与えることになる。これにより、内線端末Ａのパス終端回路８と通信線５が結合し、前記各実施例と同様にして、２パスを同時に使用するサービスを実現することができる。
【００３７】
このようにして、複数パス（本例でも、２パス）を１内線端末６が使用することが要求される場合、内線端末６のＴＥＮ番号に対して２次ＴＥＮ番号をあらかじめ主装置１に確保しておき、サービス開始時に合わせてＴＥＮ番号を自動的に付与することにより、２パスを確保する方式とすることができる。
【００３８】
したがって、第１，第２実施例で述べたのと同様の作用効果を奏し得る。さらに、これに加えて、本実施例の場合は、第２実施例と比較すれば、すべての内線端末がサービスに対応できるという利点がある。
【図面の簡単な説明】
【図１】本発明の原理説明にも供する、システムブロック図である。
【図２】本発明の一実施例を示す図で、たとえば、２パスを同時に使用するサービスの場合に、内線端末でソフト的に番号を自動付与する例（ＴＥＮ番号管理シーケン）を示す図である。
【図３】同例におけるサービス開始シーケンの一例の説明に供する図である。
【図４】本発明の他の実施例を示す図で、同様に、たとえば、２パスを同時に使用するサービスの場合、主装置側で空きＴＥＮ領域を持ち自動付与する例（ＴＥＮ番号管理シーケン）を示す図である。
【図５】同例におけるサービス開始シーケンの一例の説明に供する図である。
【図６】本発明のさらに他の実施例を示す図で、同様に、たとえば、２パスを同時に使用するサービスの場合、２次ＴＥＮ番号を自動付与する例（ＴＥＮ番号管理シーケン）を示す図である。
【図７】同例におけるサービス開始シーケンの一例の説明に供する図である。
【符号の説明】
１  ボタン電話主装置（ボタン電話機主装置）
２  制御部
３  パスブロック
４  データ線
５  パス通信線（パス接続通信線）
６  内線端末Ａ，Ｂ，Ｃ
７  制御部
８  パス終端回路部（パス終端部）
９  ＴＥＮ番号設定回路部
【図１】
0003759844.tif 000002
【図２】
0003759844.tif 000003
【図３】
0003759844.tif 000004
【図４】
0003759844.tif 000005
【図５】
0003759844.tif 000006
【図６】
0003759844.tif 000007
【図７】
0003759844.tif 000008